(57)【要約】【課題】硬貨回収作業の効率を向上させることができる硬貨入出金装置およびプログラムを提供する。【解決手段】実施形態の硬貨入出金装置は、硬貨収納部と、受皿と、払出指示受付手段と、制御手段とを備える。硬貨収納部は、硬貨を収納する。受皿は、前記硬貨収納部から払い出された硬貨を受ける。払出指示受付手段は、自装置から払い出す払出総額または払出総枚数を受付ける。制御手段は、前記払出総額または払出総枚数の硬貨を、前記受皿に収容可能な硬貨枚数に分割して前記受皿に払い出させる。【選択図】図５
2012164141.tif 000002
【特許請求の範囲】
【請求項１】
硬貨を収納する硬貨収納部と、
前記硬貨収納部から払い出された硬貨を受ける受皿と、
自装置から払い出す払出総額または払出総枚数を受付ける払出指示受付手段と、
前記払出総額または払出総枚数の硬貨を、前記受皿に収容可能な硬貨枚数に分割して前記受皿に払い出させる制御手段と、
を備える硬貨入出金装置。
【請求項２】
前記制御手段は、複数金種の硬貨を組み合わせた場合に前記受皿に収容可能な各金種の硬貨枚数を１回あたりの各金種の払出枚数として、前記複数金種の硬貨を組合わせて前記受皿に払い出させる、請求項１に記載の硬貨入出金装置。
【請求項３】
前記制御手段は、前記受皿に収容可能な１金種の硬貨枚数を当該１金種に対する１回あたりの払出枚数として、１金種ずつ前記受皿に払い出させる、請求項１に記載の硬貨入出金装置。
【請求項４】
前記受皿は、前記受皿内の硬貨の有無を検出するセンサを備え、
前記制御手段は、前記受皿内には硬貨が無いと検出した場合に、前記払出総額または払出総枚数の硬貨を、前記受皿に収容可能な硬貨枚数に分割して前記受皿に払い出させる、
請求項１ないし３のいずれか１つに記載の硬貨入出金装置。
【請求項５】
前記受皿に硬貨を払い出させる指示を受付ける受付手段をさらに備え、
前記制御手段は、前記受付手段が前記指示を受付けた場合に、前記払出総額または払出総枚数の硬貨を、前記受皿に収容可能な硬貨枚数に分割して前記受皿に払い出させる、
請求項１ないし３のいずれか１つに記載の硬貨入出金装置。
【請求項６】
硬貨を収納する硬貨収納部と、
前記硬貨収納部から払い出された硬貨を受ける受皿と、
を備える硬貨入出金装置において、コンピュータを、
自装置から払い出す払出総額または払出総枚数を受付ける払出指示受付手段と、
前記払出総額または払出総枚数の硬貨を、前記受皿に収容可能な硬貨枚数に分割して前記受皿に払い出させる制御手段と、
として機能させるためのプログラム。
【発明の詳細な説明】
【技術分野】
【０００１】
本発明の実施形態は、硬貨入出金装置およびプログラムに関する。
【背景技術】
【０００２】
従来、スーパーマーケット等の店舗においては、紙幣処理装置や硬貨入出金装置がＰＯＳ（Point  Of  Sales）端末等の上位装置に接続されて用いられる。硬貨入出金装置に収納されている硬貨を回収する際には、硬貨入出金装置に払い出させる金額または硬貨枚数をＰＯＳ端末等の上位装置から入力して払出指示を送信する。硬貨入出金装置は、硬貨収納部の出口付近に設けられた受皿に、指示された金額または枚数の硬貨を払い出す。
【発明の概要】
【発明が解決しようとする課題】
【０００３】
しかしながら、ＰＯＳ端末は受皿の容量を考慮して払い出す硬貨枚数を調整するわけではない。従って、受皿から硬貨が溢れないようにするためには、ＰＯＳ端末において少なめの硬貨枚数を入力して払い出し処理を繰り返す必要があり、硬貨回収作業の効率が上がらないという課題がある。
【０００４】
本発明が解決しようとする課題は、硬貨回収作業の効率を向上させることができる硬貨入出金装置およびプログラムを提供することである。
【課題を解決するための手段】
【０００５】
実施形態の硬貨入出金装置は、硬貨収納部と、受皿と、払出指示受付手段と、制御手段とを備える。硬貨収納部は、硬貨を収納する。受皿は、前記硬貨収納部から払い出された硬貨を受ける。払出指示受付手段は、自装置から払い出す払出総額または払出総枚数を受付ける。制御手段は、前記払出総額または払出総枚数の硬貨を、前記受皿に収容可能な硬貨枚数に分割して前記受皿に払い出させる。
【図面の簡単な説明】
【０００６】
【図１】図１は、本実施形態の硬貨入出金装置の外観斜視図である。
【図２】図２は、硬貨入出金装置の内部構成を示す平面図である。
【図３】図３は、硬貨入出金装置の電気的接続を示すブロック図である。
【図４】図４は、ＲＯＭに格納されている硬貨サイズに関するデータである。
【図５】図５は、硬貨入出金装置が実行する硬貨払出処理の手順を示すフローチャートである。
【図６】図６は、１金種ごとの分割払出処理（設定１）の手順について説明するフローチャートである。
【図７】図７は、複数金種を組み合わせた分割払出処理（設定２）の手順について説明するフローチャートである。
【発明を実施するための形態】
【０００７】
図１は、本実施形態の硬貨入出金装置１を示す外観斜視図である。本実施形態の硬貨入出金装置１は、ＰＯＳ端末やＥＣＲ（Electronic  Cash  Resister）等の販売登録装置に接続されて用いられる。尚、本実施形態の硬貨入出金装置１を、セルフチェックアウト装置（セルフＰＯＳ端末）に接続して用いてもよい。
【０００８】
硬貨入出金装置１は、ハウジング１ａを有する。ハウジング１ａの前面右側には、上方に開口した硬貨投入口２が設けられている。硬貨投入口２は、複数枚の硬貨のまとまった投入を許容する。ハウジング１ａの前面中央には、硬貨を払い出す硬貨払出口３と、払い出される硬貨を受ける受皿３ａとが設けられている。ハウジング１ａの前面左側には、硬貨の払い出しを開始する払い出しボタン４ａ等を含む操作キーと、表示器４ｂとを有する操作パネル４が設けられている。
【０００９】
図２は、硬貨入出金装置１の内部構成を示す平面図である。硬貨投入口２には、投入された硬貨を光電的に検出する複数組の投入センサ５が設けられている。また、硬貨投入口２には、投入された硬貨をハウジング１ａの内部へと搬送する投入ベルト８が設けられている。投入ベルト８の途中には、投入ベルト８が搬送する硬貨を１枚ずつ分離して送り出す投入ローラ６が設けられている。
【００１０】
投入ベルト８の硬貨搬送方向下流側には、投入ベルト８によって搬送された硬貨を受ける位置に配置されてこの硬貨を支持する硬貨搬送面１１が設けられている。硬貨搬送面１１上の硬貨は、搬送ベルト１２ａおよび補助搬送ベルト１２ｂによって押えられて図２において矢印で示す硬貨搬送方向に搬送される。搬送ベルト１２ａは、投入ベルト８から硬貨選別に用いる選別ベルト１８まで延出している。
【００１１】
硬貨搬送面１１における硬貨が通過する位置には、光源と受光センサとから構成された光センサ３０が配置されている。光センサ３０は、この光センサ３０の領域に対して通過する硬貨が塞いでない領域の受光センサの受光量を電圧に変換する。ＣＰＵ５０（図３参照）は、この電圧値に基づき硬貨の直径を認識し、予め設定されている正貨の範囲値と比較して硬貨の金種を特定する。硬貨の直径が正貨の範囲内にない場合には、硬貨は偽貨と判定される。
【００１２】
加えて、硬貨搬送面１１の硬貨搬送方向の下流端には、最大径の硬貨が落下し得るリジェクト孔１４ａが形成されている。リジェクト孔１４ａは硬貨の通過を許容するリジェクトシャッタ１４ｂによって開閉自在に設けられている。
【００１３】
上述したような硬貨搬送面１１、搬送ベルト１２ａ、補助搬送ベルト１２ｂを含む部分は、硬貨搬送部１６と称される。
【００１４】
搬送ベルト１２ａ，１２ｂによって搬送された硬貨は、硬貨選別部６０へ搬送され、選別ベルト１８によって硬貨選別板１７上を搬送される。硬貨選別板１７には、図２における右側から左側に順次孔幅寸法が拡大する６つの選別孔１７ａが形成されている。選別孔１７ａの孔幅寸法は、図２における右側から順に１円硬貨、５０円硬貨、５円硬貨、１００円硬貨、１０円硬貨、５００円硬貨の直径にそれぞれ対応している。選別ベルト１８によって硬貨選別板１７に押え付けられて搬送される硬貨は、対応する選別孔１７ａから落下する。これにより硬貨は金種別に選別される。選別孔１７ａには、落下する硬貨を検出する計数センサ１９が設けられている。
【００１５】
選別孔１７ａから落下する硬貨を受ける位置には、落下した硬貨を金種別に収納する硬貨収納部２０が設けられている。硬貨収納部２０の底部には、硬貨収納部２０に金種別に収納された硬貨をそれぞれ硬貨払出口３の方向に搬送する６つの収納ベルト２１が設けられている。また、硬貨収納部２０の側部には、硬貨収納部２０に硬貨が最大限まで収納されている収納フル状態の金種を検出する収納フルセンサ２２が設けられている。
【００１６】
硬貨収納部２０には、各収納ベルト２１により移送される各金種の硬貨を１枚ずつ送り出す払出ローラ２３が設けられている。払出ローラ２３によって硬貨が送り出される位置には、硬貨を金種毎に検出する６つの払出待機センサ２４が配置されている。また、払出ローラ２３によって硬貨が送り出される位置には、硬貨を金種毎に待機させる６つの払出待機ベルト２５が設けられている。払出待機ベルト２５は、払出モータ４５（図３参照）の駆動により回転して硬貨の払出をする。払出待機ベルト２５の硬貨払出方向の下流端には、払出を待機している各金種の先頭硬貨を選択的に硬貨払出口３に投出する６つの払出シャッタ２７が配置されている。また、払出を待機している各金種の先頭硬貨の材質をそれぞれ検出する６つの材質センサ２６と、各払出シャッタ２７によって金種別に投出された硬貨を検出する６つの払出センサ２８とが設けられている。
【００１７】
図３は、硬貨入出金装置１の電気的接続を示すブロック図である。硬貨入出金装置１は、ＣＰＵ５０を搭載しており、このＣＰＵ５０にはシステムバス３５を介してＲＯＭ３３とＲＡＭ３４が接続されている。ＲＯＭ３３は本実施形態にかかるプログラムを格納している。ＣＰＵ５０は、ＲＯＭ３３に格納された本実施形態のプログラムをＲＡＭ３４に展開して実行することにより制御部５１として機能する。
【００１８】
さらに、ＣＰＵ５０には、入力ポート３９と、出力ポート４０と、通信インターフェイス４１と、モータ駆動制御部４６と、操作パネル制御部４７とがシステムバス３５を介して接続されており、制御部５１はこれらの各部を制御する。
【００１９】
入力ポート３９には、センサ類Ｓからの信号が入力される。図３に示すように、センサ類Ｓとしては、光センサ３０、払出センサ２８、材質センサ２６、払出待機センサ２４、収納フルセンサ２２、計数センサ１９、リジェクトセンサ１５、投入センサ５等が含まれる。出力ポート４０は、リジェクトシャッタソレノイド１４ｃ等に駆動信号を出力する。リジェクトシャッタソレノイド１４ｃは、リジェクトシャッタ１４ｂを開閉制御する。操作パネル制御部４７は、操作パネル４に接続されており、操作キーから入力されるキー信号を取込むとともに表示器４ｂにデータを表示させる。
【００２０】
モータ駆動制御部４６は、モータ類Ｍに含まれる投入モータ４２、搬送モータ４３ａ、搬送モータ４３ｂ、選別モータ４４、払出モータ４５等のモータを夫々駆動制御する。投入モータ４２は、投入ベルト８（図２参照）を回転駆動する。搬送モータ４３ａは、搬送ベルト１２ａ（図２参照）を回転駆動する。搬送モータ４３ｂは、補助搬送ベルト１２ｂ（図２参照）を回転駆動する。選別モータ４４は、選別ベルト１８（図２参照）を回転駆動する。払出モータ４５は、収納ベルト２１（図２参照）を回転駆動する。
【００２１】
ＲＯＭ３３は、受皿３ａのサイズに関するデータを格納している。受皿３ａのサイズに関するデータとしては、例えば受皿３ａの容積に基づいた受皿容量定数が格納される。
【００２２】
受皿容量定数としては、受皿３ａの実際の容量に定数を乗じたもの、或いは受皿３ａの実際の容量に定数を加えたもの等を用いることができる。尚、受皿容量定数は、受皿３ａの実際の容量に基づいた値であれば、その他の演算方法によって求められた数値でもよい。
【００２３】
通常、複数枚数の硬貨がランダムに積み重ねられた場合に占める体積は、硬貨を整列させた場合の体積（即ち、硬貨の体積と硬貨枚数とを乗じて得られる体積）とは異なるものである。従って、上述のように受皿３ａの実際の容量に定数を乗じたり加算したりするなど、受皿３ａの実際の容量に余裕を持たせた数値を受皿容量定数として設定しておき、受皿３ａに払い出す硬貨の総体積との比較に用いるとよい。具体的には、予め受皿３ａと各金種の硬貨を用いて受皿３ａに収容可能な硬貨枚数のデータを取っておき、そのデータに基づいて受皿容量定数を求めておくことが望ましい。
【００２４】
また、ＲＯＭ３３は、各金種の硬貨サイズに関するデータを格納している。図４は、ＲＯＭ３３に格納されている硬貨サイズに関するデータである。図４に示すように、各金種の硬貨サイズとしては、例えば金種ごとの硬貨の直径、厚さ、体積が格納されている。尚、格納される硬貨サイズのデータとしては、その他のサイズが格納されてもよいし、例えば体積のみを格納しておくとしてもよい。
【００２５】
また、硬貨入出金装置１は、通信インターフェイス４１およびＬＡＮ等のネットワークを介して、ＰＯＳ端末等の上位装置と通信することができる。制御部５１は、通信インターフェイス４１等を介して接続されたＰＯＳ端末、または、操作パネル４から払出指示を受付ける。
【００２６】
ここで、払出指示とは、硬貨収納部２０に収納されている硬貨を受皿３ａに払い出させて回収する際に、ＰＯＳ端末から送信される指示である。オペレータは払出指示として、硬貨入出金装置１に払い出させる払出総額を指定してもよいし、払い出させる硬貨の枚数、すなわち払出総枚数を指定してもよい。また、硬貨入出金装置１に残しておく残金額を指定してもよい。また、払出指示は、通信インターフェイス４１を介して接続されたＰＯＳ端末以外の情報処理装置から入力されてもよいし、硬貨入出金装置１の操作パネル４から入力されてもよい。
【００２７】
また、制御部５１は、払出総額または払出総枚数の硬貨を、受皿３ａに収容可能な硬貨枚数に分割して受皿３ａに払い出させる。
【００２８】
ここで、本実施形態のプログラムには、複数金種の硬貨を払い出す払出方法として、
（設定１）１金種ずつ払い出す払出方法
（設定２）複数金種を組み合わせて払い出す払出方法
の２つの設定に対するプログラムを含んでいる。ユーザは操作パネル４を操作して（設定１）または（設定２）のいずれか一方を選択し、いずれの払出方法を用いるかをＲＡＭ３４に設定しておくことができる。
【００２９】
（設定１）によれば、金種ごとに硬貨を分別して回収できるため、回収した硬貨を金種ごとに管理することができる。一方、（設定２）によれば、各金種の払出待機ベルト２５（図２参照）に各金種の硬貨をそれぞれ複数枚待機させて、払い出しボタン４ａの押下に応じて払出シャッタ２７を開き、一度に複数金種の硬貨を払い出すことができる。従って、一度の出金で出金できる硬貨枚数を（設定１）の場合よりも多くすることができる。
【００３０】
制御部５１は、（設定１）が設定されている場合に、受皿３ａに収容可能な１金種の硬貨枚数を当該１金種に対する１回あたりの払出枚数として、１金種ずつ受皿３ａに払い出させる。
【００３１】
また、制御部５１は、（設定２）が設定されている場合に、複数金種の硬貨を組み合わせた場合に受皿３ａに収容可能な各金種の硬貨枚数を、１回あたりの各金種の払出枚数として、複数金種の硬貨を組合わせて受皿３ａに払い出させる。
【００３２】
次に、制御部５１の機能および動作について図５を用いて説明する。図５は、硬貨入出金装置１が実行する硬貨払出処理の手順を示すフローチャートである。
【００３３】
制御部５１は、通信インターフェイス４１等を介して接続されたＰＯＳ端末、または、操作パネル４から払出指示を受付ける（ステップＳ１）。払出指示を受付けない間（ステップＳ１：Ｎｏ）はステップＳ１に戻って指示待ちをする。
【００３４】
制御部５１は受付けた払出指示に基づいて、自装置から払い出す各金種の払出総枚数を求める（ステップＳ２）。以下では、各金種の払出総枚数が、５００円硬貨はＡ枚、１００円硬貨はＢ枚、５０円硬貨はＣ枚、１０円硬貨はＤ枚、５円硬貨はＥ枚、１円硬貨はＦ枚と求められた場合について説明する。
【００３５】
制御部５１は、払い出す全硬貨の総体積が受皿容量定数より小さいか否かを判定する（ステップＳ３）。即ち、各金種の硬貨の体積（図４参照）に各金種の払出総枚数（Ａ〜Ｆ）をそれぞれ乗じて、払出指示された硬貨の総体積を算出し、受皿容量定数と比較する。即ち下記式（１）が成立するか否かを判定する。
１１０３・Ａ＋６８２・Ｂ＋５２０・Ｃ＋５６４・Ｄ＋５７０・Ｅ＋４８４・Ｆ
＜受皿容量定数  （１）
【００３６】
上記式（１）が成り立つ場合（ステップＳ３：Ｙｅｓ）には、払出総枚数分の硬貨を一括で払い出しても受皿３ａから硬貨は溢れないので、全ての硬貨を一括に払い出して（ステップＳ４）払出処理を終了する。一方、式（１）が成立しない場合（ステップＳ３：Ｎｏ）に硬貨を一括で払い出すと硬貨は受皿３ａから溢れてしまうので、硬貨を複数回に分割して払い出す（ステップＳ５〜Ｓ７）。
【００３７】
制御部５１は、ＲＡＭ３４に（設定１）が設定されているか否かを判定する（ステップＳ５）。（設定１）である場合（ステップＳ５：Ｙｅｓ）には、１金種ごとの分割払出処理を行う（ステップＳ６）。（設定１）でない場合、即ち（設定２）である場合（ステップＳ５：Ｎｏ）には、複数金種を組み合わせた分割払出処理を行う（ステップＳ７）。
【００３８】
次に、ステップＳ６で行われる１金種ごとの分割払出処理（設定１）について、図６を参照してより詳細に説明する。図６は、１金種ごとの分割払出処理（設定１）の手順について説明するフローチャートである。
【００３９】
制御部５１は、各金種の硬貨サイズを用いて、受皿３ａに収容可能な１金種の硬貨枚数を金種ごとに算出し、これを当該１金種に対する１回あたりの払出枚数とする。即ち、制御部５１はまず１つの金種ｎについて１回あたりの払出枚数を下記式（２）によって算出する（ステップＳ６１）。
金種ｎの１回あたりの払出枚数＝受皿容量定数／金種ｎの硬貨の体積          （２）
【００４０】
例えば受皿容量定数を３００００ｍｍ３とすると、制御部５１はＲＯＭ３３に格納された硬貨サイズと受皿サイズとによって、１金種ごとの１回あたりの払出枚数を夫々、
５００円硬貨の場合には、３００００÷１１０３＝２７枚
１００円硬貨の場合には、３００００÷６８２＝４３枚
５０円硬貨の場合には、３００００÷５２０＝５７枚
１０円硬貨の場合には、３００００÷５６４＝５３枚
５円硬貨の場合には、３００００÷５７０＝５２枚
１円硬貨の場合には、３００００÷４８４＝６１枚
と算出する。
【００４１】
次に、制御部５１は、払出モータ４５（図３参照）を駆動制御して金種ｎの払出待機ベルト２５（図２参照）を回転させるとともに、金種ｎの払出シャッタ２７（図２参照）を開けて、金種ｎの硬貨（例えば、５００円硬貨）をその金種の１回あたりの払出枚数（５００円硬貨ならば２７枚）分だけ受皿３ａに払い出す（ステップＳ６２）。
【００４２】
制御部５１は、操作パネル４において払い出しボタン４ａが押下されたか否かを判定する（ステップＳ６３）。払い出しボタン４ａが押下されていない間（ステップＳ６３：Ｎｏ）は、押下されるまで待つ（ステップＳ６３）。
【００４３】
操作パネル４において払い出しボタン４ａが押下された場合（ステップＳ６３：Ｙｅｓ）には、払出総枚数（５００円硬貨ならばＡ枚）分の金種ｎの硬貨を払い出したか判定する（ステップＳ６４）。払出総枚数分の硬貨を払い出していない場合（ステップＳ６４：Ｎｏ）には、ステップＳ６２に戻って、払出総枚数分の金種ｎの硬貨を払い出すまでステップＳ６２〜Ｓ６４を繰り返す。
【００４４】
一方、払出総枚数分の金種ｎを払い出した場合（ステップＳ６４：Ｙｅｓ）には、全ての金種について払出処理が終了したか否かを判定する（ステップＳ６５）。終了していない場合（ステップＳ６５：Ｎｏ）には、ｎを１だけインクリメントして（ステップＳ６６）次の金種（例えば１００円硬貨）についてステップＳ６１〜Ｓ６５の処理を行う。そして、全ての金種について払出処理が終了した場合（ステップＳ６５：Ｙｅｓ）には、（設定１）の分割払出処理を終了する。
【００４５】
次に、ステップＳ７で行われる複数金種を組み合わせた分割払出処理（設定２）について、図７を参照してより詳細に説明する。図７は、複数金種を組み合わせた分割払出処理（設定２）の手順について説明するフローチャートである。
【００４６】
制御部５１は、複数金種の硬貨サイズを用いて、複数金種の硬貨を組み合わせた場合に受皿３ａに収容可能な各金種の硬貨枚数を算出し、算出した各金種の硬貨枚数をそれぞれ１回あたりの各金種の払出枚数とする。
【００４７】
一例として、制御部５１は全ての金種を組み合わせて１回あたりの各金種の払出枚数を全金種について算出する（ステップＳ７１）。例えば、５００円硬貨をａ枚、１００円硬貨をｂ枚、５０円硬貨をｃ枚、１０円硬貨をｄ枚、５円硬貨をｅ枚、１円硬貨をｆ枚、組み合わせて払い出す場合に、制御部５１は下記式（３）が成立するようにａ〜ｆを算出する。
１１０３・ａ＋６８２・ｂ＋５２０・ｃ＋５６４・ｄ＋５７０・ｅ＋４８４・ｆ
＜受皿容量定数  （３）
【００４８】
そして、制御部５１は、払出モータ４５（図３参照）を駆動制御して全ての金種の払出待機ベルト２５（図２参照）を回転させるとともに、全金種の払出シャッタ２７（図２参照）を開けて、各金種の硬貨をそれぞれの１回あたりの各金種の払出枚数分（即ち、ａ〜ｆ枚）ずつ受皿３ａに払い出す（ステップＳ７２）。
【００４９】
そして、操作パネル４において払い出しボタン４ａが押下された場合（ステップＳ７３：Ｙｅｓ）には、払出総枚数に達した金種があるか否かを判定する（ステップＳ７４）。払い出しボタン４ａが押下されていない場合（ステップＳ７３：Ｎｏ）には押下されるまで待つ（ステップＳ７３）。
【００５０】
払出総枚数に達した金種がない間（ステップＳ７４：Ｎｏ）は、ステップＳ７２に戻って、いずれか１つの金種がその金種の払出総枚数に達する（ステップＳ７４：Ｙｅｓ）までステップＳ７２〜Ｓ７４の処理を繰り返す。
【００５１】
一方、いずれか１つの金種がその金種の払出総枚数に達した場合（ステップＳ７４：Ｙｅｓ）には、全ての金種について払出処理が終了したか否かを判定する（ステップＳ７５）。全ての金種について払出処理が終了していない場合（ステップＳ７５：Ｎｏ）には、払出総枚数に達した金種を式（３）から除いて（ステップＳ７６）、式（３）による枚数算出を行い（ステップＳ７１）、全ての金種について払出処理が終了するまでステップＳ７１〜Ｓ７５を繰り返す。一方、全ての金種について払出処理が終了した場合（ステップＳ７５：Ｙｅｓ）には、（設定２）の分割払出処理を終了する。
【００５２】
尚、上述では、操作パネル４に設けられた払い出しボタン４ａが押下された場合（ステップＳ６３、Ｓ７３）に、１回あたりの払出枚数の硬貨を算出して受皿３ａに排出するとしたが、硬貨排出のタイミングはこれに限定されるものではない。その他の例として、受皿３ａに受皿３ａ内の硬貨の有無を検出する硬貨センサを設けて、該硬貨センサが受皿３ａには硬貨が無いことを検出した場合に、次の回の払い出しを自動的に行うとしてもよい。
【００５３】
また、上述では１回あたりの払出枚数はその都度算出するとしたが、例えば一金種の硬貨を払い出す場合等については予め１回あたりの払出枚数を算出してＲＡＭ３４に格納しておき、制御部５１はこの１回あたりの払出枚数により硬貨を複数回に分割して払い出すとしてもよい。また、複数金種を組み合わせて払い出す場合についても、予め硬貨枚数の組み合わせパターンをＲＡＭ３４に格納しておいて、制御部５１はこのパターンに基づいて硬貨を複数回に分割して払い出すとしてもよい。
【００５４】
以上説明したとおり、本実施形態によれば、受皿３ａに収容可能な硬貨枚数に分割して硬貨を払い出すので、ＰＯＳ端末等の上位装置等から受皿３ａの容量を超える払出指示を出すことが可能となり、硬貨回収作業の効率を向上させることができる。
【００５５】
なお、本実施形態の硬貨入出金装置１で実行されるプログラムは、ＲＯＭ等に予め組み込まれて提供される。本実施形態の硬貨入出金装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５６】
さらに、本実施形態の硬貨入出金装置１で実行されるプログラムを、インターネット等のネットワークに接続されたコンピュータ上に格納し、ネットワーク経由でダウンロードさせることにより提供するように構成しても良い。また、本実施形態の硬貨入出金装置１で実行されるプログラムをインターネット等のネットワーク経由で提供または配布するように構成しても良い。
【００５７】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５８】
１  硬貨入出金装置
２  硬貨投入口
３  硬貨払出口
３ａ  受皿
４  操作パネル
４ａ  払い出しボタン
４ｂ  表示器
２０  硬貨収納部
５０  ＣＰＵ
５１  制御部
【先行技術文献】
【特許文献】
【００５９】
【特許文献１】特開２００３−１５０７９３公報
【図１】
2012164141.tif 000003
【図２】
2012164141.tif 000004
【図３】
2012164141.tif 000005
【図４】
2012164141.tif 000006
【図５】
2012164141.tif 000007
【図６】
2012164141.tif 000008
【図７】
2012164141.tif 000009